(57)【要約】  装置（２１０，４１０）は、乾式変圧器（１００）の温度を測定するように構成される温度センサ（２２０，４２０）を含み、温度センサ（２２０，４２０）は、乾式変圧器（１００）の導体（２４０）上または導体（２４０）に近接して配置され、導体（２４０）の絶縁層（２５０）によってカバーされる。装置（２１０，４１０）はさらに、測定された温度をリーダ（６１０）に送信するように構成されるパッシブワイヤレス通信モジュール（２３０，４３０）を含む。乾式変圧器（１００）の温度が正確に測定され得、これにより、乾式変圧器（１００）の信頼性および安全性が向上する。したがって、乾式変圧器（１００）のための温度測定は、コスト効果があり効率的な態様で適切に行われ得る。
2021510821.tif 000002
【特許請求の範囲】
【請求項１】
測定装置（２１０，４１０）であって、
乾式変圧器（１００）の温度を測定するように構成される温度センサ（２２０，４２０）を含み、前記温度センサ（２２０，４２０）は、前記乾式変圧器（１００）の導体（２４０）上にまたは前記導体（２４０）に近接して配置され、前記導体（２４０）の絶縁層（２５０）によってカバーされ、
前記測定装置（２１０，４１０）はさらに、
測定された前記温度をリーダ（６１０）に送信するように構成されるパッシブワイヤレス通信モジュール（２３０，４３０）を含む、測定装置（２１０，４１０）。
【請求項２】
前記絶縁層（２５０）は、前記導体（２４０）および前記温度センサ（２２０，４２０）上に、絶縁材料、好ましくはエポキシ樹脂をラッピングすることによって形成され、
前記導体（２４０）は、前記乾式変圧器（１００）の高電圧（ＨＶ）巻線（１１１，１２１，１３１）、前記乾式変圧器（１００）の低電圧（ＬＶ）巻線、前記乾式変圧器（１００）のコア（１１０，１２０，１３０）、および、前記乾式変圧器（１００）のタップ端子（１１６，１２６，１３６）の部分である、請求項１に記載の測定装置（２１０，４１０）。
【請求項３】
前記パッシブワイヤレス通信モジュール（２３０）は、ワイヤ（２２５）を介して前記温度センサ（２２０）に接続されており、前記ワイヤ（２２５）の一端は前記絶縁層（２５０）から突出している、請求項２に記載の測定装置（２１０，４１０）。
【請求項４】
前記温度センサ（２２０，４２０）は、前記コア（１１０，１２０，１３０）に沿って前記ＨＶ巻線（１１１，１２１，１３１）または前記ＬＶ巻線の上部上に配置される、請求項２に記載の測定装置（２１０，４１０）。
【請求項５】
前記パッシブワイヤレス通信モジュール（２３０）は、前記ＨＶ巻線（１１１，１２１，１３１）のドーム領域（１１２，１２２，１３２）上または内に配置され、好ましくは、前記ドーム領域（１１２，１２２，１３２）上におけるタップチェンジャ（１１５，１２５，１３５）またはワイヤ接続端子（１１３，１１４，１２３，１２４，１３３，１３４）の近傍に配置される、請求項３に記載の測定装置（２１０，４１０）。
【請求項６】
前記パッシブワイヤレス通信モジュール（２３０）は、前記ドーム領域（１１２，１２２，１３２）の絶縁層（２６０）によってカバーされるか、または、前記ドーム領域（１１２，１２２，１３２）の溝内に配置され、前記ワイヤ（２２５）の部分は、前記パッシブワイヤレス通信モジュール（２３０）と前記温度センサ（２２０）とを接続するために前記溝内に配置される、請求項５に記載の測定装置（２１０，４１０）。
【請求項７】
前記温度センサ（２２０，４２０）は、前記絶縁層（２５０）内の熱伝導層を介して前記導体（２４０）に接続される、請求項１に記載の測定装置（２１０，４１０）。
【請求項８】
前記温度センサ（４２０）は、前記パッシブワイヤレス通信モジュール（４３０）内においてパッケージングされ、前記温度センサ（４２０）の端子は、前記パッシブワイヤレス通信モジュール（４３０）の外部に露出しており、
前記絶縁層（２５０）は、前記導体（２４０）および前記パッシブワイヤレス通信モジュール（４３０）上に、絶縁材料、好ましくはエポキシ樹脂をラッピングすることによって形成される、請求項１に記載の測定装置（２１０，４１０）。
【請求項９】
前記測定装置（２１０，４１０）は、軟質材料から形成され、かつ、前記乾式変圧器（１００）の曲面上に配置され、好ましくは前記曲面の絶縁層によってカバーされる、請求項１に記載の測定装置（２１０，４１０）。
【請求項１０】
前記パッシブワイヤレス通信モジュール（２３０，４３０）は、パッシブ無線周波数識別（ＲＦＩＤ）タグまたは表面弾性波（ＳＡＷ）タグを含む、請求項１に記載の測定装置（２１０，４１０）。
【請求項１１】
請求項１〜１０のいずれか１項に記載の測定装置（２１０，４１０）と、
前記リーダ（６１０）と、
前記乾式変圧器（１００）とを含む、システム（６００）。
【請求項１２】
前記リーダ（６１０）は、前記乾式変圧器（１００）内に配置され、好ましくは前記乾式変圧器（１００）の低電圧（ＬＶ）コンパートメントに配置される、請求項１１に記載のシステム（６００）。
【請求項１３】
前記リーダ（６００）は、１つ以上のアンテナ（６２０）を介して前記測定装置（２１０，４１０）に電力供給するよう、ワイヤレス無線周波数エネルギーを提供するように構成される、請求項１１に記載のシステム（６００）。
【請求項１４】
測定された前記温度を前記パッシブワイヤレス通信モジュール（２３０，４３０）から受け取るように構成される１つ以上のアンテナ（６２０）をさらに含み、前記１つ以上のアンテナ（６２０）のうちの少なくとも１つのアンテナ（６２０）は、前記少なくとも１つのアンテナ（６２０）と前記パッシブワイヤレス通信モジュール（２３０，４３０）との間のワイヤレス通信を可能にするように前記乾式変圧器（１００）の中央に配置される、請求項１１に記載のシステム（６００）。
【請求項１５】
前記測定装置（２１０）とは異なる位置に配置される、請求項１〜１０のいずれか１項に記載のさらに別の測定装置（４１０）をさらに含む、請求項１１に記載のシステム（６００）。
【請求項１６】
測定された前記温度が所定のしきい値を上回ることに応答して、前記乾式変圧器（１００）の前記温度を低下させるよう、冷却デバイス（１５１，１５２，１５３）をオンにするように構成されるコントローラ（６３０）をさらに含む、請求項１１に記載のシステム（６００）。
【請求項１７】
乾式変圧器（１００）の温度を測定するための請求項１〜１０のいずれか１項に記載の測定装置（２１０，４１０）の使用。
【請求項１８】
測定装置を設置するための方法であって、
請求項１〜１０のいずれか１項に記載の測定装置（２１０，４１０）の前記温度センサ（２２０，４２０）を乾式変圧器（１００）の導体（２４０）の表面に組み付けることと、
前記温度センサ（２２０，４２０）が取り外し不能となるように、前記導体（２４０）および前記温度センサ（２２０，４２０）上に絶縁材料をラッピングすることとを含む、方法。
【請求項１９】
測定装置を取り外すための方法であって、
請求項１〜７および１０のいずれか１項に記載の測定装置（２１０）の前記パッシブワイヤレス通信モジュール（２３０）をドーム領域（１１２，１２２，１３２）の溝から取り外すことと、
前記ドーム領域（１１２，１２２，１３２）の前記溝内に新しいパッシブワイヤレス通信モジュールを組み付けることと、
前記新しいパッシブワイヤレス通信モジュールを、前記溝内に配置されるワイヤ（２２５）に接続することとを含む、方法。
【発明の詳細な説明】
【技術分野】
【０００１】
分野
本明細書に開示される例示的な実施形態は、一般に温度測定に関し、より特定的には、乾式変圧器の温度を測定するための測定装置およびシステムに関する。
【背景技術】
【０００２】
背景
変圧器は、２つ以上の回路間で電気エネルギーを電磁誘導により伝達する電気デバイスであり、一般にオイル式変圧器と乾式変圧器（ドライ変圧器とも称される）とに分類される。オイル式変圧器は絶縁材料として絶縁オイルを用い、乾式変圧器は変圧器コアおよびコイルが液体中に浸漬されていないものである。すなわち、乾式変圧器では、冷却媒体としてオイルの代わりに空気が用いられる。
【０００３】
一般的に言えば、乾式変圧器は、オイル式変圧器より高い温度で動作するように設計され得る。乾式変圧器の動作中、乾式変圧器の温度は、たとえば１８０℃まで上昇する場合がある。したがって、安全性や電力品質を保証するためには、乾式変圧器の動作状態を監視する必要がある。
【０００４】
従来、乾式変圧器の温度を測定するために有線の熱電対が使用されており、これは非常に不便である。さらに、従来の方法は、乾式変圧器の正確な温度を取得することができず、乾式変圧器の温度を測定することは非常にコストがかかる。したがって、乾式変圧器の温度を測定するための従来の方法は、不正確かつ非効率的である。
【発明の概要】
【課題を解決するための手段】
【０００５】
概要
本明細書に開示される例示的な実施形態は、パッシブワイヤレス測定装置を使用して乾式変圧器の温度を測定するためのソリューションを提案する。
【０００６】
第１の局面では、本明細書に開示される例示的な実施形態は、測定装置を提供する。測定装置は、乾式変圧器の温度を測定するように構成される温度センサを含み、温度センサは、乾式変圧器の導体上にまたは導体に近接して配置され、導体の絶縁層によってカバーされる。測定装置はさらに、測定された温度をリーダに送信するように構成されるパッシブワイヤレス通信モジュールを含む。
【０００７】
いくつかの実施形態では、絶縁層は、導体および温度センサ上に、絶縁材料、好ましくはエポキシ樹脂をラッピングすることによって形成され、導体は、乾式変圧器の高電圧（ＨＶ）巻線、乾式変圧器の低電圧（ＬＶ）巻線、乾式変圧器のコア、および、乾式変圧器のタップ端子の１つである。
【０００８】
いくつかの実施形態では、パッシブワイヤレス通信モジュールは、ワイヤを介して温度センサに接続されており、ワイヤの一端は絶縁層から突出している。
【０００９】
いくつかの実施形態では、温度センサは、コアに沿ってＨＶ巻線またはＬＶ巻線の上部上に配置される。
【００１０】
いくつかの実施形態では、パッシブワイヤレス通信モジュールは、ＨＶ巻線のドーム領域上または内に配置され、好ましくは、ドーム領域上におけるタップチェンジャまたはワイヤ接続端子の近傍に配置される。
【００１１】
いくつかの実施形態では、パッシブワイヤレス通信モジュールは、ドーム領域の絶縁層によってカバーされるか、または、ドーム領域の溝内に配置され、ワイヤの部分は、パッシブワイヤレス通信モジュールと温度センサとを接続するために溝内に配置される。
【００１２】
いくつかの実施形態では、温度センサは、絶縁層内の熱伝導層を介して導体に接続される。
【００１３】
いくつかの実施形態では、温度センサは、パッシブワイヤレス通信モジュール内においてパッケージングされ、温度センサの端子は、パッシブワイヤレス通信モジュールの外部に露出している。さらに、絶縁層は、導体およびパッシブワイヤレス通信モジュール上に、絶縁材料、好ましくはエポキシ樹脂をラッピングすることによって形成される。
【００１４】
いくつかの実施形態では、測定装置は、軟質材料から形成され、かつ、乾式変圧器の曲面上に配置され、好ましくは曲面の絶縁層によってカバーされる。
【００１５】
いくつかの実施形態では、パッシブワイヤレス通信モジュールは、パッシブ無線周波数識別（ＲＦＩＤ）タグまたは表面弾性波（ＳＡＷ）タグを含む。
【００１６】
第２の局面では、本明細書に開示される例示的な実施形態は、乾式変圧器の温度を測定するためのシステムを提供する。システムは、第１の局面の測定装置と、リーダと、乾式変圧器とを含む。
【００１７】
いくつかの実施形態では、リーダは、乾式変圧器内に配置され、好ましくは乾式変圧器の低電圧（ＬＶ）コンパートメントに配置される。
【００１８】
いくつかの実施形態では、リーダは、１つ以上のアンテナを介して測定装置に電力供給するよう、ワイヤレス無線周波数エネルギーを提供するように構成される。
【００１９】
いくつかの実施形態では、システムは、測定された温度をパッシブワイヤレス通信モジュールから受け取るように構成される１つ以上のアンテナをさらに含み、１つ以上のアンテナのうちの少なくとも１つのアンテナは、少なくとも１つのアンテナとパッシブワイヤレス通信モジュールとの間のワイヤレス通信を可能にするように乾式変圧器の中央に配置される。
【００２０】
いくつかの実施形態では、システムは、測定装置とは異なる位置に配置される、第１の局面のさらに別の測定装置をさらに含む。
【００２１】
いくつかの実施形態では、システムは、測定された温度が所定のしきい値を上回ることに応答して、乾式変圧器の温度を低下させるよう、冷却デバイスをオンにするように構成されるコントローラをさらに含む。
【００２２】
第３の局面では、本明細書に開示される例示的な実施形態は、乾式変圧器の温度を測定するための第１の局面の測定装置の使用を提供する。
【００２３】
第４の局面では、本明細書に開示される例示的な実施形態は、測定装置を設置するための方法を提供する。当該方法は、第１の局面の測定装置の温度センサを乾式変圧器の導体の表面に組み付けることと、温度センサが取り外し不能となるように導体および温度センサ上に絶縁材料をラッピングすることとを含む。
【００２４】
第５の局面では、本明細書に開示される例示的な実施形態は、測定装置を取り外すための方法を提供する。当該方法は、第１の局面の測定装置のパッシブワイヤレス通信モジュールをドーム領域の溝から取り外すことを含む。当該方法はさらに、ドーム領域の溝内に新しいパッシブワイヤレス通信モジュールを組み付けることと、新しいパッシブワイヤレス通信モジュールを、溝内に配置されるワイヤに接続することとを含む。
【００２５】
本開示の実施形態によれば、乾式変圧器の温度が正確に測定され得、これにより乾式変圧器の信頼性および安全性が向上される。したがって、乾式変圧器のための温度測定は、コスト効果があり効率的な態様で適切に機能し得る。
【００２６】
添付の図面を参照して、以下の詳細な説明により、本明細書に開示される例示的な実施形態の上記および他の目的、特徴および利点が、より理解されるであろう。図面では、本明細書に開示されるいくつかの例示的な実施形態が、例において非限定的な態様で示される。
【図面の簡単な説明】
【００２７】
【図１】乾式変圧器の例の概略図を示す図である。
【図２】乾式変圧器の温度を測定するために測定装置が使用される環境の概略図を示す図である。
【図３】乾式変圧器の温度を測定するために測定装置が使用される別の環境の概略図を示す図である。
【図４】乾式変圧器の温度を測定するために測定装置が使用されるさらに別の環境の概略図を示す図である。
【図５】測定装置がマウントされた乾式変圧器の概略図を示す図である。
【図６】乾式変圧器の温度を測定するためのシステムのブロック図を示す図である。
【発明を実施するための形態】
【００２８】
図面全体を通じて、同一または同様の参照符号は同一または同様の要素を指す。
詳細な説明
ここで、本明細書で説明される主題が、いくつかの例示的な実施形態を参照して論じられる。これらの実施形態は、当業者が本明細書に記載される主題をよりよく理解し、それにより実現することを可能にする目的のためにのみ論じられ、主題の範囲に対するいかなる限定も示唆するわけではない。
【００２９】
「備える（comprise）」または「含む（include）」という用語およびその変形は、「含むがこれらに限定されない」ということを意味するオープンな用語として解釈されるべきである。「または」という用語は、文脈が明確に別の態様を示さなければ、「および／または」と解釈されるべきである。「に基づく」という用語は、「少なくとも部分的に基づく」と解釈されるべきである。「構成される」という用語は、ユーザまたは外部メカニズムによって誘発される動作により、機能、作用、動き、または状態が達成され得ることを意味する。「一実施形態」および「実施形態」という用語は、「少なくとも１つの実施形態」と解釈されるべきである。「別の実施形態」という用語は、「少なくとも１つの他の実施形態」と解釈されるべきである。
【００３０】
別の態様で特定または限定されなければ、「マウントされる」、「接続される」、「支持される」および「結合される」という用語およびその変形は、広範に使用され、直接的および間接的なマウント、接続、支持、および結合を包含する。さらに、「接続される」および「結合される」は、物理的または機械的な接続または結合に限定されない。明示的および暗黙的な他の定義が以下に含まれてもよい。
【００３１】
従来、乾式変圧器の温度を測定するために有線の熱電対が使用されており、測定プローブは一般に空気ダクト内に位置している。しかしながら、有線の測定装置は非常に不便であり、ライン配置が複雑になり、有線の測定装置に電力供給するためにバッテリがしばしば必要となる。さらに、従来の測定装置は、乾式変圧器の正確な温度および乾式変圧器のホットポット温度（hot pot temperature）を取得することができず、乾式変圧器の温度を測定することは一般にコストがかかる。したがって、乾式変圧器の温度を測定するための従来の方法は、不正確かつ非効率的である。
【００３２】
一般に、本開示の実施形態によれば、乾式変圧器の温度を正確に測定し得る、乾式変圧器の温度を測定するための測定装置およびシステムが提供される。さらに、提案される測定装置は、パッシブおよびワイヤレスである。したがって、測定装置は乾式変圧器において柔軟に配置され得、乾式変圧器の信頼性および安全性も向上され得る。したがって、本開示の実施形態によれば、乾式変圧器のための温度測定は、コスト効果があり効率的な態様で実行され得る。本開示のいくつかの例示的な実施形態が、図１〜図６に関連して以下において説明される。
【００３３】
図１は、乾式変圧器１００の例の概略図を示す。図１に示されるように、乾式変圧器１００は、キャビネットが取り外された状態の三相乾式変圧器であり、３つの導体グループを使用して三相交流を発生する。当該３つのグループの各々は、コアと、低電圧（ＬＶ： low voltage）巻線またはコイル（図示せず）と、高電圧（ＨＶ： high voltage）巻線またはコイルとを含む。たとえば、第１のグループはコア１１０およびＨＶ巻線１１１を含み、第２のグループはコア１２０およびＨＶ巻線１２１を含み、第３のグループはコア１３０およびＨＶ巻線１３１を含む。
【００３４】
一般に、乾式変圧器１００は、冷却媒体としてオイルの代わりに空気を用いているため、乾式変圧器１００の導体間の絶縁が必要であるので、各導体には絶縁層が設けられ得る。ＬＶ巻線およびＨＶ巻線の場合、１つの巻線における変動する電流によって、変動する磁場が生成され、その結果、別の巻線において電圧が誘導される。したがって、巻線同士の間に金属接続がなくても、磁界を介して巻線同士の間で電力が伝達され得る。
【００３５】
引き続き図１を参照して、乾式変圧器１００は、上部クランプ１４０および下部クランプ１５０をさらに含む。上部クランプ１４０には、ＨＶ端子１４１、１４２および１４３といった複数のＨＶ端子が配置されている。１つ以上の冷却デバイスが、乾式変圧器１００を一緒にまたは別々に冷却するために、下部クランプ１５０の近傍に配置されている。冷却デバイスの例は、ファン１５１、１５２および１５３を含むがこれらに限定されない。
【００３６】
乾式変圧器１００は、図１に示されるもの以外の１つ以上のさらに別のコンポーネントを含み得ることが理解されるべきである。例示的な乾式変圧器１００が図１に示されているが、本開示の保護範囲は、当該例示的な乾式変圧器１００に限定されないことも理解されるべきである。さらに、三相乾式変圧器が例として示されているが、他相（単相など）の乾式変圧器も可能であり得る。
【００３７】
図２は、乾式変圧器の温度を測定するために測定装置が使用される環境２００の概略図を示す。図２に示されるように、導体２４０の温度を測定するために測定装置２１０が使用され、導体２４０は、図１を参照して、乾式変圧器１００内の任意の導体であってもよい。乾式変圧器１００内の任意の導体は、乾式変圧器１００のＨＶ巻線１１１，１２１，１３１、乾式変圧器１００のＬＶ巻線、コア１１０，１２０，１３０、タップ端子、ＨＶアウトレット、および、ＬＶアウトレットなどを含むがこれらに限定されない。
【００３８】
図２に示されるように、測定装置２１０は、温度センサ２２０およびパッシブワイヤレス通信モジュール２３０を含む。温度センサ２２０は、温度センサ２２０が位置する乾式変圧器１００の位置の温度を測定するように構成される。パッシブワイヤレス通信モジュール２３０は、測定された温度をリーダに送信するように構成される。本開示の実施形態によれば、測定装置２１０は如何なる電源回路も有しておらず、その代わりに、受け取ったワイヤレス無線周波数エネルギーを使用して自身に電力供給する。したがって、本明細書において説明される実施形態は、電力供給および通信メカニズムに関して従来のソリューションとは著しく異なる。
【００３９】
いくつかの実施形態では、温度センサ２２０は、熱電対またはサーミスタであってよく、導体２４０の温度を直接的に取得するよう導体２４０上にまたは導体２４０に近接して配置される。温度センサ２２０が導体２４０に近接する実施形態では、温度センサ２２０と導体２４０との間に熱伝導層が配置されてもよい。これにより、導体２４０の正確な温度を取得するよう、温度センサ２２０と導体２４０とが良好に接続され得る。温度センサ２２０は、導体上に直接配置されているため、リアルタイムで温度上昇に応答し得、正確に温度を監視し得る。
【００４０】
図２に示されるように、導体２４０は、絶縁のための絶縁層２５０を有しており、温度センサ２２０は、導体２４０の絶縁層２５０によってカバーされるように配置される。いくつかの実施形態において、絶縁層２５０は、導体２４０および温度センサ２２０上に絶縁材料をラッピングすることによって形成される。絶縁層２５０は、たとえば、導体２４０および温度センサ２２０上にエポキシ樹脂を設けることにより形成されてもよい。他の例として、絶縁層２５０は、導体２４０および温度センサ２２０上に絶縁テープを巻き付けることによって形成されてもよい。これにより、乾式変圧器１００の製造中に温度センサ２２０が測定のために配置され得、これは乾式変圧器１００の外観を変化させることがない。さらに、エポキシ樹脂は、高電圧絶縁体として使用可能なポリマー材料であり、体積抵抗率が高く、より軽く、絶縁強度が高く、機械的強度が良好であるため、絶縁層２５０として機能するために好適である。
【００４１】
いくつかの実施形態では、温度センサ２２０は、ワイヤ２２５を介してパッシブワイヤレス通信モジュール２３０に接続されてもよい。ワイヤ２２５の一端は、図２に示されるように、絶縁層２５０から突出してもよい。これにより、パッシブワイヤレス通信モジュール２３０が耐熱性でない場合には、導体２０４上に直接配置されるとともに非常に高い温度を有し得る温度センサ２２０から分離されるように配置され得る。さらに、パッシブワイヤレス通信モジュール２３０は、動作中に破壊される可能性があるため、このようなモジュールを乾式変圧器１００の外に配置することは、その修復に有益となる。パッシブワイヤレス通信モジュール２３０が耐熱性材料から形成される場合、温度センサ２２０から分離される必要はないことが理解されるべきである。パッシブワイヤレス通信モジュールおよび温度センサが一緒に配置される実施形態は、図４を参照して以下に説明される。
【００４２】
パッシブワイヤレス通信モジュール２３０は、温度センサ２２０から取得される測定温度を、ワイヤレス通信によってリーダに送信し得る。さらに、パッシブワイヤレス通信モジュール２３０は、パッシブであるので、動作するために如何なるバッテリまたは電力線も必要としない。代わりに、パッシブワイヤレス通信モジュール２３０は、測定装置２１０に電力供給するためにリーダからワイヤレス無線周波数エネルギーを取得し得る。
【００４３】
パッシブワイヤレス通信モジュール２３０は、ワイヤレス通信のためのアンテナを含む。いくつかの実施形態では、パッシブワイヤレス通信モジュール２３０は、パッシブ無線周波数識別（ＲＦＩＤ： radio frequency identification）タグまたは表面弾性波（ＳＡＷ： surface acoustic wave）タグを含み得る。ＲＦＩＤは、対象に取り付けられたタグを自動的に識別し追跡するよう電磁場を使用し、パッシブワイヤレス通信モジュールとして機能するのに好適である。ＲＦＩＤタグは、安全かつ柔軟であり、バッテリがなく交換もないためメンテナンスが不要であり、コスト効果が高いので有益である。さらに、ＲＦＩＤタグはサイズが小さいので、乾式変圧器内の多くの異なる位置に測定装置が配置され得る。ＳＡＷは、（温度といった）物理的現象を感知するために表面弾性波の変調に依存する微小電気機械システム（ＭＥＭＳ： microelectromechanical system）の種類である。
【００４４】
本開示の実施形態によれば、乾式変圧器の温度が正確に測定され得、これにより、乾式変圧器の信頼性および安全性が向上され得る。したがって、乾式変圧器のための温度測定は、コスト効果があり効率的な態様で適切に行われ得る。
【００４５】
図３は、乾式変圧器の温度を測定するために測定装置が使用される別の環境３００の概略図を示す。示されるように、パッシブワイヤレス通信モジュール２３０は、（ＨＶ巻線１１１といった）ＨＶ巻線のドーム領域１１２上またはドーム領域１１２内に配置され得る。本明細書において用いられるように、ドーム領域は、ワイヤ接続端子が突出するＨＶ巻線の領域を表す。ドーム領域１１２は、導体２４０から遠いので、より低い温度を有し得る。これにより、パッシブワイヤレス通信モジュール２３０が焼損されることから保護される。
【００４６】
随意であるが、いくつかの実施形態では、パッシブワイヤレス通信モジュール２３０は、パッシブワイヤレス通信モジュール２３０を保護するとともに乾式変圧器１１０に美的効果を提供するように、ドーム領域１１２の絶縁層２６０によってカバーされてもよい。代替的には、他の実施形態では、ドーム領域１１２には、ワイヤ２２５の一端が配置される溝が掘られ得、パッシブワイヤレス通信モジュール２３０は、ワイヤ２２５を介して温度センサ２２０を接続するための溝内に配置されてもよい。これによっても、パッシブワイヤレス通信モジュール２３０が保護され得、乾式変圧器１１０に美観効果が提供され得る。
【００４７】
図４は、乾式変圧器の温度を測定するために測定装置が使用されるさらに別の環境４００の概略図を示す。図４に示されるように、測定装置４１０は、乾式変圧器の温度を測定するように導体２４０上にまたは導体２４０に近接して配置される。温度センサ４２０は、パッシブワイヤレス通信モジュール４３０内においてパッケージングされ、より安定した硬質タグ測定装置４１０を形成する。
【００４８】
たとえば、パッシブワイヤレス通信モジュール４３０は、ＳＡＷタグ（ＳＡＷはチップレスであり、高温に耐え得る）であるか、または、耐熱性である特定のタイプのＲＦＩＤタグであってもよい。ＳＡＷタグは周波数帯域によって識別されるため、測定システムにおけるＲＡＷタグの最大数は１２に制限される。ＳＡＷタグと比較して、測定システムにおけるＲＦＩＤタグの数には限定はない。温度を測定するために、温度センサ４２０の端子は、導体２４０に接触するようにパッシブワイヤレス通信モジュール４３０の外部に露出して配置されてもよい。さらに、ワイヤレス通信の品質を向上するために、パッシブワイヤレス通信モジュール４３０におけるアンテナは、外側に向けられるよう配置されてもよい。
【００４９】
いくつかの実施形態では、絶縁層２５０は、導体２５０およびパッシブワイヤレス通信モジュール４３０上に絶縁材料をラッピングすることによって形成され、絶縁材料は、エポキシ樹脂であってもよい。これにより、測定装置４１０のすべてのコンポーネントは、乾式変圧器の製造中に絶縁層内に設けられ得、これにより、測定装置が保護され得、乾式変圧器に美的効果が提供され得る。
【００５０】
図５は、測定装置がマウントされた乾式変圧器１００の概略図を示す。図５に示されるように、乾式変圧器１００には複数（この場合では３つ）のドーム領域１１２，１２２，１３２が存在する。ドーム領域１１２は、ワイヤ接続端子１１３，１１４と、ＨＶタップ端子１１６およびＨＶ接続部１１７を含むタップチェンジャ１１５とを含み、ドーム領域１２２は、ワイヤ接続端子１２３，１２４と、ＨＶタップ端子１２６およびＨＶ接続部１２７を含むタップチェンジャ１２５とを含み、ドーム領域１３２は、ワイヤ接続端子１３３，１３４と、ＨＶタップ端子１３６およびＨＶ接続１３７を含むタップチェンジャ１３５とを含む。端子１４１、１４２、１４３、１１３、１１４、１２３、１２４、１３３および１３４は、図５に示されるように、ＨＶ接続バーを介して接続され得る。
【００５１】
図５に示されるように、図２および図３を参照して記載した測定装置２１０と、図４を参照して記載した測定装置４１０とが、乾式変圧器１００上にマウントされる。たとえば、測定装置２１０の温度センサ２２０はＨＶ巻線１１１の絶縁層内に設けられ、測定装置２１０のパッシブワイヤレス通信モジュール２３０はドーム領域１１２に配置されてもよく、温度センサ２２０とパッシブワイヤレス通信モジュール２３０とは、ワイヤ２２５を介して接続される。
【００５２】
温度が低いドーム領域１１２上またはドーム領域１１２内にパッシブワイヤレス通信モジュール２３０を配置することによって、図５に示される実施形態は、パッシブワイヤレス通信モジュール２３０が１８０℃といった高温に耐えられない（この場合、パッシブワイヤレス通信モジュール２３０はＲＦＩＤタグであり得る）場合に特に有益である。これにより、パッシブワイヤレス通信モジュール２３０が焼損されることから保護される。たとえば、温度センサ２２０における温度は１８０℃と同じぐらい高くてもよく、パッシブワイヤレス通信モジュール２３における温度は１２０℃より低くてもよい。
【００５３】
別の例では、測定装置４１０のパッシブワイヤレス通信モジュール４３０は、耐熱性である場合、ＨＶ巻線１３１に直接取り付けられ得、焼損されることはない。いくつかの実施形態では、いくつかの他の測定装置は、導体の表面に直接的に接着もしくは結合されてもよく、ＨＶ巻線もしくはＬＶ巻線の円盤部同士の間に位置決めされてもよく、または、乾式変圧器１００のねじもしくはバスバー上に位置決めされてもよい。
【００５４】
いくつかの実施形態では、パッシブワイヤレス通信モジュール２３０は、ドーム領域１１２上においてタップチェンジャ１１５またはワイヤ接続端子１１３の近傍に配置され得る。これにより、絶縁リスクが低減され得る。
【００５５】
いくつかの実施形態では、乾式変圧器の上部は下部より高い温度を有するので、温度センサ２２０，４２０は、コア１１０，１２０，１３０に沿ってＨＶ巻線１１１，１２１，１３１またはＬＶ巻線の上部上に配置され得る。これにより、乾式変圧器１００の高温が取得され、これにより、乾式変圧器の信頼性および安全性が確保され得る。いくつかの実施形態では、いくつかの温度センサがさらに、温度コンパッション（temperature compassion）のためにＨＶ巻線またはＬＶ巻線の下部に配置されてもよい。
【００５６】
いくつかの実施形態では、測定装置は、乾式変圧器１００の曲面に好適な軟質タグ測定装置を形成するように軟質材料から形成されてもよい。この場合、測定装置は、曲面の絶縁層によりカバーされてもよい。軟質タグ測定装置は平面に配置されていてもよいことが理解されるべきである。
【００５７】
図６は、乾式変圧器の温度を測定するためのシステム６００のブロック図を示す。図６に示されるように、システム６００は、リーダ６１０、アンテナ６２０、本開示の実施形態に従った測定装置２１０および４１０、ならびに、乾式変圧器１００を含む。リーダ６１０は、測定装置２１０および４１０に電力供給するためにワイヤレス無線周波数エネルギーを提供するように構成されており、測定装置２１０および４１０は、乾式変圧器１００の温度を取得するよう、受け取った無線周波数エネルギーを使用して動作する。アンテナ６２０は、ＲＦケーブルまたは同軸ケーブルを介してリーダに接続され、測定された温度を測定装置２１０および４１０から受け取るように構成される。
【００５８】
たとえば、リーダ６１０は、すべての測定装置２１０および４１０にエレクトロニックプロダクトコード（ＥＰＣ： electronic product code）を問い合わせし得、測定装置２１０および４１０は、ＥＰＣをリーダ６１０に返し、動作を開始する。次に、リーダ６１０は、測定装置２１０および４１０からの温度の取得を開始し、各測定装置は、リアルタイムで当該温度をリーダ６１０に返す。
【００５９】
いくつかの実施形態では、リーダ６１０は、乾式変圧器１００内に配置され、たとえば、乾式変圧器のＬＶコンパートメントに配置され得る。いくつかの実施形態では、アンテナは、アンテナ６２０とパッシブワイヤレス通信モジュール２３０，４３０との間のワイヤレス通信を可能にするよう、乾式変圧器１００の内壁上または中央に配置される。たとえば、ワイヤレス通信を中断させないように、アンテナ６２０とパッシブワイヤレス通信モジュール２３０，４３０との間に金属要素が存在しないことが保証される。
【００６０】
いくつかの実施形態では、システム６００は、コントローラ６３０を含み得、取得された温度をリーダがコントローラ６３０に送信する。たとえば、コントローラ６３０は、リーダ６１０の動作時間および動作状態を制御し得る。コントローラ６３０は、測定された温度が所定のしきい値を上回ることに応答して、乾式変圧器１００の温度を低下するよう、冷却デバイス（たとえば、ファン１５１、１５２または１５３）をオンにするように構成される。たとえば、温度２２０によって感知される温度が高すぎる場合、コントローラ６３０はファン１５１をオンにし得る。いくつかの実施形態では、コントローラ６３０は、ローカルまたはクラウドにおけるコンピューティングデバイスであってもよい。
【００６１】
図６には２つの測定装置が示されているが、システム６００は、より少ないまたはより多い測定装置を含み得ることが理解されるべきである。さらに、測定装置の量が多い場合において通信品質を向上するために、乾式変圧器の異なる位置に配置される複数のアンテナがシステム６００内に設けられてもよい。
【００６２】
いくつかの実施形態では、本開示の測定装置は、乾式変圧器の温度を測定するために使用され得る。本開示の実施形態に従った測定装置は、乾式変圧器の温度をインテリジェントに監視するために使用され得、異なる位置における温度変化も迅速かつ正確に監視され得る。
【００６３】
主題は、構造的特徴および／または方法的動作に特有の言語で記載されているが、添付の請求の範囲において定義される主題は、当該特定の特徴または動作に必ずしも限定されないことが理解されるべきである。むしろ、上記の特定の特徴および動作は、請求の範囲を実現する例示的な形態として開示される。
【図１】
2021510821.tif 000003
【図２】
2021510821.tif 000004
【図３】
2021510821.tif 000005
【図４】
2021510821.tif 000006
【図５】
2021510821.tif 000007
【図６】
2021510821.tif 000008
【手続補正書】
【提出日】令和2年9月9日(2020.9.9)
【手続補正１】
【補正対象書類名】特許請求の範囲
【補正対象項目名】全文
【補正方法】変更
【補正の内容】
【特許請求の範囲】
【請求項１】
測定装置（２１０，４１０）であって、
乾式変圧器（１００）の温度を測定するように構成される温度センサ（２２０，４２０）を含み、前記温度センサ（２２０，４２０）は、前記乾式変圧器（１００）の導体（２４０）上にまたは前記導体（２４０）に近接して配置され、前記導体（２４０）の絶縁層（２５０）によってカバーされ、
前記測定装置（２１０，４１０）はさらに、
前記測定装置（２１０，４１０）に電力供給するためにリーダ（６１０）からワイヤレス無線周波数エネルギーを受信して、測定された前記温度を前記リーダ（６１０）に送信するように構成されるパッシブワイヤレス通信モジュール（２３０，４３０）を含む、測定装置（２１０，４１０）。
【請求項２】
前記絶縁層（２５０）は、前記導体（２４０）および前記温度センサ（２２０，４２０）上に、絶縁材料、好ましくはエポキシ樹脂をラッピングすることによって形成され、
前記導体（２４０）は、前記乾式変圧器（１００）の高電圧（ＨＶ）巻線（１１１，１２１，１３１）、前記乾式変圧器（１００）の低電圧（ＬＶ）巻線、前記乾式変圧器（１００）のコア（１１０，１２０，１３０）、および、前記乾式変圧器（１００）のタップ端子（１１６，１２６，１３６）の部分である、請求項１に記載の測定装置（２１０，４１０）。
【請求項３】
前記パッシブワイヤレス通信モジュール（２３０）は、ワイヤ（２２５）を介して前記温度センサ（２２０）に接続されており、前記ワイヤ（２２５）の一端は前記絶縁層（２５０）から突出している、請求項２に記載の測定装置（２１０，４１０）。
【請求項４】
前記温度センサ（２２０，４２０）は、前記コア（１１０，１２０，１３０）に沿って前記ＨＶ巻線（１１１，１２１，１３１）または前記ＬＶ巻線の上部上に配置される、請求項２に記載の測定装置（２１０，４１０）。
【請求項５】
前記パッシブワイヤレス通信モジュール（２３０）は、前記ＨＶ巻線（１１１，１２１，１３１）のドーム領域（１１２，１２２，１３２）上または内に配置され、好ましくは、前記ドーム領域（１１２，１２２，１３２）上におけるタップチェンジャ（１１５，１２５，１３５）またはワイヤ接続端子（１１３，１１４，１２３，１２４，１３３，１３４）の近傍に配置される、請求項３に記載の測定装置（２１０，４１０）。
【請求項６】
前記パッシブワイヤレス通信モジュール（２３０）は、前記ドーム領域（１１２，１２２，１３２）の絶縁層（２６０）によってカバーされるか、または、前記ドーム領域（１１２，１２２，１３２）の溝内に配置され、前記ワイヤ（２２５）の部分は、前記パッシブワイヤレス通信モジュール（２３０）と前記温度センサ（２２０）とを接続するために前記溝内に配置される、請求項５に記載の測定装置（２１０，４１０）。
【請求項７】
前記温度センサ（２２０，４２０）は、前記絶縁層（２５０）内の熱伝導層を介して前記導体（２４０）に接続される、請求項１に記載の測定装置（２１０，４１０）。
【請求項８】
前記温度センサ（４２０）は、前記パッシブワイヤレス通信モジュール（４３０）内においてパッケージングされ、前記温度センサ（４２０）の端子は、前記パッシブワイヤレス通信モジュール（４３０）の外部に露出しており、
前記絶縁層（２５０）は、前記導体（２４０）および前記パッシブワイヤレス通信モジュール（４３０）上に、絶縁材料、好ましくはエポキシ樹脂をラッピングすることによって形成される、請求項１に記載の測定装置（２１０，４１０）。
【請求項９】
前記測定装置（２１０，４１０）は、軟質材料から形成され、かつ、前記乾式変圧器（１００）の曲面上に配置され、好ましくは前記曲面の絶縁層によってカバーされる、請求項１に記載の測定装置（２１０，４１０）。
【請求項１０】
前記パッシブワイヤレス通信モジュール（２３０，４３０）は、パッシブ無線周波数識別（ＲＦＩＤ）タグまたは表面弾性波（ＳＡＷ）タグを含む、請求項１に記載の測定装置（２１０，４１０）。
【請求項１１】
請求項１〜１０のいずれか１項に記載の測定装置（２１０，４１０）と、
前記リーダ（６１０）と、
前記乾式変圧器（１００）とを含む、システム（６００）。
【請求項１２】
前記リーダ（６１０）は、前記乾式変圧器（１００）内に配置され、好ましくは前記乾式変圧器（１００）の低電圧（ＬＶ）コンパートメントに配置される、請求項１１に記載のシステム（６００）。
【請求項１３】
前記リーダ（６００）は、１つ以上のアンテナ（６２０）を介して前記測定装置（２１０，４１０）に電力供給するよう、ワイヤレス無線周波数エネルギーを提供するように構成される、請求項１１に記載のシステム（６００）。
【請求項１４】
測定された前記温度を前記パッシブワイヤレス通信モジュール（２３０，４３０）から受け取るように構成される１つ以上のアンテナ（６２０）をさらに含み、前記１つ以上のアンテナ（６２０）のうちの少なくとも１つのアンテナ（６２０）は、前記少なくとも１つのアンテナ（６２０）と前記パッシブワイヤレス通信モジュール（２３０，４３０）との間のワイヤレス通信を可能にするように前記乾式変圧器（１００）の中央に配置される、請求項１１に記載のシステム（６００）。
【請求項１５】
前記測定装置（２１０）とは異なる位置に配置される、請求項１〜１０のいずれか１項に記載のさらに別の測定装置（４１０）をさらに含む、請求項１１に記載のシステム（６００）。
【請求項１６】
測定された前記温度が所定のしきい値を上回ることに応答して、前記乾式変圧器（１００）の前記温度を低下させるよう、冷却デバイス（１５１，１５２，１５３）をオンにするように構成されるコントローラ（６３０）をさらに含む、請求項１１に記載のシステム（６００）。
【請求項１７】
請求項１〜１０のいずれか１項に記載の測定装置（２１０，４１０）を使用して乾式変圧器（１００）の温度を測定することを含む、乾式変圧器（１００）の温度を測定する方法。
【請求項１８】
測定装置を設置するための方法であって、
請求項１〜１０のいずれか１項に記載の測定装置（２１０，４１０）の前記温度センサ（２２０，４２０）を乾式変圧器（１００）の導体（２４０）の表面に組み付けることと、
前記温度センサ（２２０，４２０）が取り外し不能となるように、前記導体（２４０）および前記温度センサ（２２０，４２０）上に絶縁材料をラッピングすることとを含む、方法。
【請求項１９】
測定装置を取り外すための方法であって、
請求項１〜７および１０のいずれか１項に記載の測定装置（２１０）の前記パッシブワイヤレス通信モジュール（２３０）をドーム領域（１１２，１２２，１３２）の溝から取り外すことと、
前記ドーム領域（１１２，１２２，１３２）の前記溝内に新しいパッシブワイヤレス通信モジュールを組み付けることと、
前記新しいパッシブワイヤレス通信モジュールを、前記溝内に配置されるワイヤ（２２５）に接続することとを含む、方法。
【国際調査報告】
2021510821.tif 000009
2021510821.tif 000010
2021510821.tif 000011